(57)【要約】【課題】本発明はスピンドルモータ及びハードディスクドライブに関する。【解決手段】本発明は、ベース部材に固設される下部スラスト部材と、上記下部スラスト部材に固設されるシャフトと、上記下部スラスト部材の上部に配置され、上記シャフトに回転可能に設けられるスリーブと、上記スリーブに結合され、上記スリーブと連動して回転するローターハブとを含み、上記下部スラスト部材は内側に軸方向の上部に突出し、上記シャフトの下端に軸方向の上部に湾入形成される固定溝に嵌め込み固定される嵌め込み突起を備えることができる。【選択図】図１
2014060909.tif 000002
【特許請求の範囲】
【請求項１】
ベース部材に固設される第１スラスト部材と、
前記第１スラスト部材に固設されるシャフトと、
前記第１スラスト部材と回転軸方向において対向して、前記シャフトに回転可能に設けられるスリーブと、
前記スリーブに結合され、前記スリーブと連動して回転するローターハブと、
を含み、
前記シャフトは、軸方向一方側の端部に、軸方向他方側に湾入形成される固定溝を備え、
前記第１スラスト部材は、前記軸方向他方側に突出し、前記固定溝に嵌め込み固定される嵌め込み突起を備えるスピンドルモータ。
【請求項２】
前記嵌め込み突起は、前記固定溝に圧入結合される請求項１に記載のスピンドルモータ。
【請求項３】
前記嵌め込み突起の外周面には、前記固定溝の内周面と接触する接触部が備えられる請求項２に記載のスピンドルモータ。
【請求項４】
前記接触部は、前記シャフトより強度が弱い請求項３に記載のスピンドルモータ。
【請求項５】
前記接触部は、前記嵌め込み突起の外周面に沿ってリング形状に備えられる請求項３または４に記載のスピンドルモータ。
【請求項６】
前記接触部は、前記嵌め込み突起の外周面に沿って螺旋形状に備えられる請求項３または４に記載のスピンドルモータ。
【請求項７】
前記接触部は、回転軸方向に所定間隔離隔されて少なくとも２個以上備えられ、
複数の前記嵌め込み突起の間には接着剤が塗布される請求項５に記載のスピンドルモータ。
【請求項８】
螺旋形に備えられる前記接触部の間には、接着剤が塗布される請求項６に記載のスピンドルモータ。
【請求項９】
前記嵌め込み突起は、前記固定溝にスライド嵌め込みまたはねじ結合される請求項１〜８の何れか１項に記載のスピンドルモータ。
【請求項１０】
前記嵌め込み突起は、前記固定溝に接着剤によりボンディング結合される請求項１〜９の何れか１項に記載のスピンドルモータ。
【請求項１１】
前記シャフトは、軸方向に前記固定溝と外部を連通する貫通孔を備える請求項１〜１０の何れか１項に記載のスピンドルモータ。
【請求項１２】
前記第１スラスト部材の嵌め込み突起には、軸方向に貫通する連通孔が備えられる請求項１〜１０の何れか１項に記載のスピンドルモータ。
【請求項１３】
前記第１スラスト部材は、前記スリーブとの間に潤滑流体の気液界面を形成する請求項１〜１２の何れか１項に記載のスピンドルモータ。
【請求項１４】
前記シャフトの軸方向他方側の端部に固設され、前記スリーブとの間に潤滑流体の気液界面を形成する第２スラスト部材をさらに含む請求項１〜１３の何れか１項に記載のスピンドルモータ。
【請求項１５】
前記スリーブと前記ローターハブは一体に形成される請求項１〜１４の何れか１項に記載のスピンドルモータ。
【請求項１６】
前記嵌め込み突起が前記固定溝に嵌め込まれる前と後の前記シャフトの外周面の形状が同一である請求項１〜１５の何れか１項に記載のスピンドルモータ。
【請求項１７】
前記ベース部材と前記第１スラスト部材は一体に形成される請求項１〜１６の何れか１項に記載のスピンドルモータ。
【請求項１８】
基板に通じて印加される電源によりディスクを回転させる第１項〜第１７項の何れか１項のスピンドルモータと、
前記ディスクのデータを記録及び再生するための磁気ヘッドと、
前記磁気ヘッドを前記ディスク上の所定の位置に移動させるためのヘッド移送部と、を含むハードディスクドライブ。
【発明の詳細な説明】
【技術分野】
【０００１】
本発明はスピンドルモータ及びハードディスクドライブに関する。
【背景技術】
【０００２】
サーバ（ｓｅｒｖｅｒ）用ハードディスク（ｈａｒｄ  ｄｉｓｋ）駆動装置などの情報記録再生装置には、振動特性に優れた軸をハードディスク（ｈａｒｄ  ｄｉｓｋ）駆動装置のボックスに固定した、いわゆる、軸固定型スピンドルモータが多く用いられる。
【０００３】
即ち、サーバ用ハードディスク駆動装置に搭載されるスピンドルモータには、外部の振動によりローター（Ｒｏｔｏｒ）の振幅が大きくなってディスク（Ｄｉｓｋ）に記録された情報が破損及び記録／判読できない状態になることを防止するためにシャフトが固設される。
【０００４】
このように、固定型シャフトが設けられる場合、シャフトには上部及び下部にスラスト部材が固設される。
【０００５】
しかし、上記シャフトが上記下部スラスト部材に固設され、上記下部スラスト部材がベースに固定される場合は、回転軸の役割をする上記シャフトが強固に固定されなければならないため、上記下部スラスト部材を厚くして上記シャフトの外周面に圧入、ボンディング、スライド結合などの方式で固定している。
【０００６】
一方、最近では、ハードディスクドライブが薄くなり、これに用いられるスピンドルモータも薄型化されている。しかし、上述のように、下部スラスト部材が厚いと、スピンドルモータの薄型化が阻害され、軸受スパン長が短くなり、モータの性能発現を阻害するという短所があった。
【０００７】
下記の先行技術文献は軸固定型スピンドルモータに関し、上部及び下部スラスト部材２３０、２２０を備える形状である。添付の図４から分かるように、スラスト部材２２０にシャフト２１０が固定される構造の場合は、下部スラスト部材２２０が厚くなければ、上記シャフト２１０が強固に固定されない。
【先行技術文献】
【特許文献】
【０００８】
【特許文献１】韓国公開特許公報第２００６−００７９６３０号
【発明の概要】
【発明が解決しようとする課題】
【０００９】
本発明は上記の問題点を解消するためのもので、軸固定型スピンドルモータを用いながら、下部スラスト部材を薄く形成することができ、モータを薄型化することができるスピンドルモータを提供する。
【００１０】
また、軸固定型スピンドルモータを用いながら、下部スラスト部材を薄く形成することができ、軸受スパン長を長く形成することができるため、スピンドルモータの作動性能も向上させることができるスピンドルモータを提供する。
【課題を解決するための手段】
【００１１】
本発明の一実施例によるスピンドルモータは、ベース部材に固設される下部スラスト部材と、上記下部スラスト部材に固設されるシャフトと、上記下部スラスト部材の上部に配置され、上記シャフトに回転可能に設けられるスリーブと、上記スリーブに結合され、上記スリーブと連動して回転するローターハブとを含み、上記下部スラスト部材は内側に軸方向の上部に突出し、上記シャフトの下端に軸方向の上部に湾入形成される固定溝に嵌め込み固定される嵌め込み突起を備えてよい。
【００１２】
本発明の一実施例によるスピンドルモータにおいて、上記嵌め込み突起は上記固定溝に圧入結合されてよい。
【００１３】
本発明の一実施例によるスピンドルモータにおいて、上記嵌め込み突起の外周面には加圧突起が備えられてよい。
【００１４】
本発明の一実施例によるスピンドルモータにおいて、上記加圧突起は上記シャフトより強度が弱くてよい。
【００１５】
本発明の一実施例によるスピンドルモータにおいて、上記加圧突起は上記嵌め込み突起の外周面に沿って円周方向に円形に備えられてよい。
【００１６】
本発明の一実施例によるスピンドルモータにおいて、上記加圧突起は上記嵌め込み突起の外周面に沿って円周方向に螺旋形に備えられてよい。
【００１７】
本発明の一実施例によるスピンドルモータにおいて、上記加圧突起は上下に所定間隔離隔されて少なくとも２個以上備えられ、複数の上記嵌め込み突起の間には接着剤が塗布されてよい。
【００１８】
本発明の一実施例によるスピンドルモータにおいて、螺旋形に備えられる上記加圧突起の間には接着剤が塗布されてよい。
【００１９】
本発明の一実施例によるスピンドルモータにおいて、上記嵌め込み突起は上記固定溝にスライド嵌め込みまたはねじ結合されてよい。
【００２０】
本発明の一実施例によるスピンドルモータにおいて、上記嵌め込み突起は上記固定溝に接着剤によりボンディング結合されてよい。
【００２１】
本発明の一実施例によるスピンドルモータにおいて、上記シャフトは、軸方向に上記固定溝と外部を連通する貫通孔を備えてよい。
【００２２】
本発明の一実施例によるスピンドルモータにおいて、上記下部スラスト部材の嵌め込み突起には、軸方向に上下を貫通する連通孔が備えられてよい。
【００２３】
本発明の一実施例によるスピンドルモータにおいて、上記下部スラスト部材は、上記スリーブとの間に潤滑流体の気液界面を形成してよい。
【００２４】
本発明の一実施例によるスピンドルモータにおいて、上記シャフトの上端部に固設され、上記スリーブとの間に潤滑流体の気液界面を形成する上部スラスト部材をさらに含んでよい。
【００２５】
本発明の一実施例によるスピンドルモータにおいて、上記スリーブと上記ローターハブは一体に形成されてよい。
【００２６】
本発明の一実施例によるスピンドルモータにおいて、上記嵌め込み突起が上記固定溝に嵌め込まれる前と後の上記シャフトの外周面の形状が同一であってよい。
【００２７】
本発明の一実施例によるスピンドルモータにおいて、上記ベース部材と上記下部スラスト部材は一体に形成されてよい。
【００２８】
本発明の一実施例によるハードディスクドライブは、基板に通じて印加される電源によりディスクを回転させるスピンドルモータと、上記ディスクのデータを記録及び再生するための磁気ヘッドと、上記磁気ヘッドを上記ディスク上の所定の位置に移動させるためのヘッド移送部とを含んでよい。
【発明の効果】
【００２９】
本発明によると、軸固定型スピンドルモータを用いながら、下部スラスト部材を薄く形成することができ、モータを薄型化することができるスピンドルモータを提供することができる。
【００３０】
また、軸固定型スピンドルモータを用いながら、下部スラスト部材を薄く形成することができ、軸受スパン長を長く形成することができるため、スピンドルモータの作動性能も向上させることができるスピンドルモータを提供することができる。
【図面の簡単な説明】
【００３１】
【図１】本発明の一実施例によるスピンドルモータを示す概略断面図である。
【図２】図１のＡ部を示す拡大図である。
【図３】本発明の一実施例によるスリーブと上部及び下部スラスト部材を示す部分切開分解斜視図である。
【図４】本発明の一実施例によるスピンドルモータの作動を説明するための説明図である。
【図５】（ａ）及び（ｂ）は本発明の一実施例による下部スラスト部材とシャフトを示す切開斜視図である。
【図６】（ａ）及び（ｂ）は本発明の一実施例による下部スラスト部材を示す切開斜視図である。
【図７】本発明の一実施例によるモータが装着された記録ディスク駆動装置を示した概略断面図である。
【発明を実施するための形態】
【００３２】
以下では、添付の図面を参照し、本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。図面における要素の形状及び大きさなどはより明確な説明のために誇張されることがある。
【００３３】
図１は本発明の一実施例によるスピンドルモータを示す概略断面図であり、図２は図１のＡ部を示す拡大図であり、図３は本発明の一実施例によるスリーブと上部及び下部スラスト部材を示す部分切開分解斜視図であり、図４は本発明の一実施例によるスピンドルモータの作動を説明するための説明図であり、図５の（ａ）及び（ｂ）は本発明の一実施例による下部スラスト部材とシャフトを示す切開斜視図であり、図６の（ａ）及び（ｂ）は本発明の一実施例による下部スラスト部材を示す切開斜視図である。
【００３４】
図１〜図６を参照すると、本発明の一実施例によるスピンドルモータ１００はベース部材１１０、下部スラスト部材１２０、シャフト１３０、スリーブ１４０、ローターハブ１５０及び上部スラスト部材１６０を含んで構成されてよい。
【００３５】
まず、方向に対する用語を定義すると、図１を参照して、軸方向は上下方向、即ち、シャフト１３０の下部側から上部側に向かう方向またはシャフト１３０の上部側から下部側に向かう方向を意味し、半径方向は左右方向、即ち、シャフト１３０からローターハブ１５０の外周面に向かう方向またはローターハブ１５０の外周面からシャフト１３０に向かう方向を意味し、円周方向は回転中心から所定半径に沿って回転する方向を意味する。
【００３６】
そして、下部スラスト部材１２０はベース部材１１０とともに固定部材、即ち、ステータに含まれる。
【００３７】
ベース部材１１０はローターハブ１５０とともに所定空間を形成するように装着溝１１２を備えてよい。そして、ベース部材１１０は軸方向の上部側に延長形成され、外周面にステータコア１０２が設けられる結合部１１４を備えてよい。
【００３８】
また、結合部１１４の外周面にはステータコア１０２が載置されるように載置面１１４ａが備えられてよい。結合部１１４に載置されたステータコア１０２は、上記ベース部材１１０の装着溝１１２の上部に配置されることができる。
【００３９】
ここで、上記ベース部材１１０はアルミニウム（Ａｌ）を材料としてダイキャスト（Ｄｉｅ−ｃａｓｔｉｎｇ）方式により製造してよく、鋼板（ｓｔｅｅｌ  ｓｈｅｅｔ）を塑性加工（例えば、プレス加工）して製造してもよい。
【００４０】
下部スラスト部材１２０はベース部材１１０に固設される。即ち、下部スラスト部材１２０は結合部１１４に挿設され、より詳細には、下部スラスト部材１２０の外周面が結合部１１４の内周面に接合するように設けられてよい。
【００４１】
一方、下部スラスト部材１２０は外部面がベース部材１１０に固設される円盤部１２２と、円盤部１２２の外側端から軸方向の上側に延長形成される延長部１２４と、上記円盤部１２２の中心から軸方向の上側に突出形成され、以下で説明するシャフト１３０の下端に形成される固定溝１３２に嵌め込み結合される嵌め込み突起１２６とを備えてよい。
【００４２】
即ち、下部スラスト部材１２０は中孔を有し、上記中孔の中心に突起が備えられたコップ状であってよい。言い換えると、断面が「Ｅ」字状を有するように形成されてよい。
【００４３】
ここで、上記下部スラスト部材１２０の嵌め込み突起１２６には軸方向に上下を貫通する連通孔１２７が備えられてよい（図５の（ａ）参照）。上記連通孔１２７は、上記嵌め込み突起１２６を上記固定溝１３２に嵌め込み結合する過程で、上記固定溝１３２に満たされた空気が上記連通孔１２７を介して自然に排出されるようにし、結合強度を向上させることができる。
【００４４】
シャフト１３０の軸方向の下端面には軸方向の上側に湾入形成される固定溝１３２が備えられ、上記固定溝１３２には上記下部スラスト部材１２０の嵌め込み突起１２６が嵌め込み結合されることができる。結合方式としては、接着剤ボンディング、スライド嵌め込み、ねじ結合、圧入結合など多様な方式を用いてよい。
【００４５】
外周面に何も形成されない嵌め込み突起１２６が固定溝１３２に嵌め込み結合される場合は、スライド結合は可能であるが、圧入結合は現実的に極めて難しい。これは、鋼体の面と面が相互接触した状態で圧入結合を行うためには、非常に大きい力が必要となるか、結合過程で結合する部材の変形が発生するためである。
【００４６】
そのため、本発明では、上記嵌め込み突起１２６の外周面に加圧突起１２８が備えられることができる（図６の（ａ）及び（ｂ）参照）。上記加圧突起１２８は、上記嵌め込み突起１２６の外周面から半径方向の外側に突出する形状で備えられてよい。上記嵌め込み突起１２６の外周面に加圧突起１２８が備えられると、上記加圧突起１２８だけが上記固定溝１３２の内周面と接触するため、接触面積が小さくて上記嵌め込み突起１２６を上記固定溝１３２に圧入結合することができる。加圧突起１２６は、接触部の一例であってよい。
【００４７】
さらに、上記加圧突起１２８は上記シャフト１３０より強度の弱い材質で構成してよい。即ち、上記下部スラスト部材１２０は上記シャフト１３０より軟質の材料を用いて製造することができる。例えば、シャフト１３０はステンレス（ＳＵＳ）材質で形成し、下部スラスト部材１２０は黄銅にニッケルをめっきしたもので形成してよい。
【００４８】
上記加圧突起１２８を上記シャフト１３０より弱い材質で形成すると、上記嵌め込み突起１２６を上記固定溝１３２に圧入する場合、上記嵌め込み突起１２６が変形して上記固定溝１３２に圧入結合される。上記嵌め込み突起１２６が上記固定溝１３２に嵌め込まれる前である図３は、上記嵌め込み突起１２６の外周面に備えられる加圧突起１２８の先端が尖っている形状である。しかし、上記嵌め込み突起１２６が上記固定溝１３２に嵌め込まれた後である図１及び図２は、上記嵌め込み突起１２６の外周面に備えられる加圧突起１２８の先端が変形して鈍くなった形状に変形している。
【００４９】
よって、上記シャフト１３０は、外径が拡張されない状態で下部に下部スラスト部材１２０が強固に結合されることができる。
【００５０】
上記加圧突起１２８は、上記嵌め込み突起１２６の外周面に沿って円周方向に円形に備えられてリング状に形成されたり（図６の（ａ）参照）、上記嵌め込み突起１２６の外周面に沿って円周方向に螺旋形に備えられてよい（図６の（ｂ）参照）。
【００５１】
ここで、上記加圧突起１２８がリング状に形成される場合には、上記加圧突起１２８は上下に所定間隔離隔されて少なくとも２個以上備えられ、複数の上記加圧突起１２８の間には接着剤１２１が塗布されることができる。この場合、最上部及び最下部に備えられる加圧突起１２８は、上記接着剤１２１の離脱を防止する隔壁の役割をすることができる。
【００５２】
また、上記加圧突起１２８が螺旋形に備えられる場合には、螺旋形に備えられる上記加圧突起１２８の間に接着剤１２１が塗布されることができる。この場合、最上部及び最下部に備えられる加圧突起１２８は、上記接着剤１２１の離脱を防止する隔壁の役割を行うことができる。
【００５３】
また、下部スラスト部材１２０の上面またはスリーブ１４０の底面の少なくとも一つには、スラスト流体動圧を発生させるためのスラスト動圧グルーブ１４８が形成されてよい。
【００５４】
シャフト１３０は下部スラスト部材１２０に固設される。即ち、シャフト１３０の下端面に備えられる固定溝１３２に上記下部スラスト部材１２０に備えられる嵌め込み突起１２６が嵌め込まれ、上記シャフト１３０は上記下部スラスト部材１２０に強固に固定されることができる。
【００５５】
即ち、シャフト１３０の軸方向の下端面には軸方向の上側に湾入形成される固定溝１３２が備えられ、上記固定溝１３２には上記下部スラスト部材１２０の嵌め込み突起１２６が嵌め込み結合されてよい。結合方式としては接着剤ボンディング、スライド嵌め込み、ねじ結合、圧入結合など多様な方式を用いてよい。
【００５６】
但し、本実施例では、シャフト１３０が下部スラスト部材１２０に固設される場合を例に挙げて説明しているが、これに限定されず、上記下部スラスト部材１２０がベース部材１１０に一体に形成される場合は、上記シャフト１３０はベース部材１１０に固設されることができる。
【００５７】
一方、シャフト１３０も上記下部スラスト部材１２０、ベース部材１１０とともに固定部材、即ち、ステータに含まれる。
【００５８】
シャフト１３０の上面には覆い部材（不図示）が固設されるように結合手段、例えば、ねじが締結されるねじ部が備えられてよい。
【００５９】
また、上記シャフト１３０には、軸方向に上下を貫通して上記固定溝１３２と外部を連通させる貫通孔１３４が備えられてよい（図５の（ｂ）参照）。上記貫通孔１３４は、上記嵌め込み突起１２６を上記固定溝１３２に嵌め込み結合する過程で、上記固定溝１３２に満たされた空気が上記貫通孔１３４を介して自然に排出されるようにし、結合強度を向上させるためのものである。
【００６０】
スリーブ１４０はシャフト１３０に回転可能に設けられてよい。このために、スリーブ１４０はシャフト１３０が挿入される貫通孔１４１を備えてよい。一方、スリーブ１４０がシャフト１３０に設けられると、スリーブ１４０の内周面とシャフト１３０の外周面は所定間隔離されて配置され、軸受隙間Ｂを形成する。そして、この軸受隙間Ｂに潤滑流体が充填される。
【００６１】
一方、スリーブ１４０の上端部には上部スラスト部材１６０とともに気液界面を形成するように上部側の外径が下部側の外径より大きく形成される傾斜部１４３が形成されることができる。
【００６２】
即ち、スリーブ１４０の外周面と上部スラスト部材１６０の内周面との空間に第１気液界面Ｆ１が形成されるように、スリーブ１４０の上端部には、上部側の外径が下部側の外径より大きく形成される傾斜部１４３が形成されることができる。
【００６３】
一方、スリーブ１４０の上端部にはスリーブ１４０の上面と段差があるように形成され、シール溝１０６を形成するための段差面１４４が形成されてよい。段差面１４４に対する詳しい事項は後述する。
【００６４】
また、スリーブ１４０の外周面にはローターハブ１５０が接合される。即ち、段差面１４４の下部はローターハブ１５０の内部面に対応する形状を有し、ローターハブ１５０が固設されるように形成されてよい。即ち、スリーブ１４０の外周面には接合面１４５が形成されることができる。ここで、上記スリーブ１４０とローターハブ１５０は一体で備えられることができる。スリーブ１４０とローターハブ１５０が一体で備えられると、１つの部材でスリーブ１４０及びローターハブ１５０が提供されるため、部品数が減り、製品の組立てが容易である。
【００６５】
一方、スリーブ１４０の外周面の下端部は、下部スラスト部材１２０の延長部１２４とともに気液界面を形成するように半径方向の内側に向かって傾くように形成されてよい。
【００６６】
即ち、スリーブ１４０の外周面と下部スラスト部材１２０の延長部１２４との空間に第２気液界面Ｆ２が形成されるように、スリーブ１４０の下端部は半径方向の内側に向かって傾くように形成されることができる。
【００６７】
このように、第２気液界面Ｆ２がスリーブ１４０の下端部と延長部１２４との空間に形成されるため、軸受隙間Ｂに充填された潤滑流体は第１気液界面Ｆ１と第２気液界面Ｆ２を形成する。
【００６８】
また、スリーブ１４０の内部面には、スリーブ１４０が回転する際、軸受隙間Ｂに充填された潤滑流体を媒介にして流体動圧を発生させるためのラジアル動圧グルーブ１４６が形成されてよい。即ち、ラジアル動圧グルーブ１４６は、図３及び図４に示されたように、上部、下部ラジアル動圧グルーブ１４６ａ、１４６ｂからなってよい。
【００６９】
但し、ラジアル動圧グルーブは、スリーブ１４０の内部面に形成されることに限らず、シャフト１３０の外周面に形成されてもよく、ヘリンボーン、スパイラル、螺旋状など多様な形状で備えられることができる。
【００７０】
ローターハブ１５０はスリーブ１４０に結合され、スリーブ１４０と連動して回転する。
【００７１】
ローターハブ１５０は、上部スラスト部材１６０が内部に挿入配置される挿入部１５２ａが形成されたローターハブボディー１５２と、ローターハブボディー１５２の縁から延長形成され、内部面にマグネットアセンブリー１８０が装着される装着部１５４と、装着部１５４の端から半径方向の外側に向かって延長形成される延長部１５６とを備えてよい。
【００７２】
一方、ローターハブボディー１５２の内部面の下端部はスリーブ１４０の外部面に接合されることができる。即ち、スリーブ１４０の接合面１４５にローターハブボディー１５２の内部面の下端部が圧入またはスライド結合され、選択的に接着剤または／及び溶接により接合されることができる。
【００７３】
これにより、ローターハブ１５０が回転する際、スリーブ１４０がローターハブ１５０とともに回転する。
【００７４】
また、装着部１５４はローターハブボディー１５２から軸方向の下側に向かって延長形成される。そして、装着部１５４の内部面にマグネットアセンブリー１８０が固設されてよい。
【００７５】
マグネットアセンブリー１８０は、装着部１５４の内部面に固設されるヨーク１８２と、ヨーク１８２の内周面に設けられるマグネット１８４とで構成されてよい。
【００７６】
ヨーク１８２はマグネット１８４からの磁場をステータコア１０２に向かわせて磁束密度を増加させる役割をする。また、ヨーク１８２は円環状であってよく、マグネット１８４から発生する磁場による磁束密度を向上させるように、一端部が折れ曲がった形状を有するように形成されてもよい。
【００７７】
マグネット１８４は環状であってよく、円周方向に沿ってＮ極、Ｓ極が相互に着磁されて一定強さの磁場を発生させる永久磁石であってよい。
【００７８】
マグネット１８４は、コイル１０１が巻線されるステータコア１０２の先端に対向配置され、コイル１０１が巻線されたステータコア１０２との電磁気的相互作用によりローターハブ１５０が回転する駆動力を発生させる。
【００７９】
即ち、コイル１０１に電源が供給されると、コイル１０１が巻線されたステータコア１０２と、これに対向配置されるマグネット１８４の電磁気的相互作用によりローターハブ１５０が回転する駆動力が発生し、これにより、ローターハブ１５０がスリーブ１４０と連動して回転する。
【００８０】
上部スラスト部材１６０は固定孔１６２ａを備え、シャフト１３０の上端部が嵌め込み固定されることで、上記シャフト１３０の上端部に固設され、スリーブ１４０とともに気液界面を形成する。
【００８１】
一方、上部スラスト部材１６０は、内部面がシャフト１３０に接合されるように固定孔１６２ａを備えるボディー１６２と、ボディー１６２から延長形成されて傾斜部１４３とともに気液界面を形成する突出部１６４とを備えてよい。
【００８２】
突出部１６４はボディー１６２から軸方向の下側に延長形成され、内部面が傾斜部１４３に対向配置されることができる。
【００８３】
また、突出部１６４は、シャフト１３０と平行にボディー１６２から延長形成されることができる。
【００８４】
そして、上部スラスト部材１６０はシャフト１３０の外周面の上端部、スリーブ１４０の外部面及びローターハブ１５０の内部面により形成される空間に挿入配置されてよい。
【００８５】
また、上部スラスト部材１６０もベース部材１１０、下部スラスト部材１２０、シャフト１３０とともに固設される固定部材であって、ステータを構成する。
【００８６】
一方、上部スラスト部材１６０がシャフト１３０に固設され、スリーブ１４０がローターハブ１５０とともに回転するため、スリーブ１４０の傾斜部１４３と突出部１６４との空間に形成された第１気液界面Ｆ１は、スリーブ１４０が回転する際、図４に示されたようにスリーブ１４０の傾斜部１４３側に傾くようになる。
【００８７】
即ち、第１気液界面Ｆ１がスリーブ１４０の外周面側に傾くため、遠心力により潤滑流体が飛散することをより減少させることができる。
【００８８】
さらに、上部スラスト部材１６０の外周面と、これに対向配置される上記ローターハブ１５０の内部面は、ラビリンスシール（Ｌａｂｙｒｉｎｔｈ  Ｓｅａｌ）を形成する。即ち、上部スラスト部材１６０の外部面とローターハブボディー１５２の内部面は所定間隔離隔されて配置され、蒸発した潤滑流体が含まれた空気が外部に流動することを抑制するようにラビリンスシールを形成する。
【００８９】
これにより、蒸発した潤滑流体が含まれた空気が外部に流動することを抑制し、潤滑流体の減少を抑制することができる。
【００９０】
また、上部スラスト部材１６０の外周面とローターハブボディー１５２の内部面は、０．３ｍｍ以下の隙間を形成することができる。
【００９１】
一方、上部スラスト部材１６０の底面または上部スラスト部材１６０の底面に対向配置されるスリーブ１４０の上面の少なくとも一つには、スラスト動圧を発生させるためのスラスト動圧グルーブ１４８が形成されてよい。
【００９２】
そして、上部スラスト部材１６０は軸受隙間Ｂに充填される潤滑流体が上部側に漏れることを防止するシール部材の役割も同時に行うことができる。
【００９３】
上部スラスト部材１６０とローターハブ１５０との隙間を狭く形成することで、蒸発した潤滑流体が含まれた空気が外部に流出することを抑制し、上部軸受隙間Ｂに充填される潤滑流体の減少を抑制することができる。
【００９４】
一方、気液界面、即、第１気液界面Ｆ１と第２気液界面Ｆ２を形成する回転部材（即ち、スリーブ）と固定部材（即ち、上部、下部スラスト部材）のうち回転部材であるスリーブ１４０が固定部材に対して半径方向の内側に配置されるため、遠心力により潤滑流体が飛散することを減少させることができる。
【００９５】
図７は、本発明によるモータが装着された記録ディスク駆動装置を示した概略断面図である。
【００９６】
図７を参照すると、本発明によるモータ１００が装着された記録ディスク駆動装置８００はハードディスク駆動装置であり、モータ１００と、ヘッド移送部８１０と、ハウジング８２０を含んでよい。
【００９７】
上記モータ１００は上述した本発明のモータの特徴を全て有しており、記録ディスク８３０を搭載することができる。
【００９８】
上記ヘッド移送部８１０は、上記モータ１００に搭載された記録ディスク８３０の情報を検出する磁気ヘッド８１５を検出しようとする記録ディスクの面に移送させることができる。
【００９９】
ここで、上記磁気ヘッド８１５は上記ヘッド移送部８１０の支持部８１７上に配置されてよい。
【０１００】
上記ハウジング８２０は、上記モータ１００と上記ヘッド移送部８１０を収容する内部空間を形成するために、モータ搭載プレート８２２と、上記モータ搭載プレート８２２の上部を遮蔽するトップカバー８２４とを含んでよい。
【０１０１】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【０１０２】
１００  スピンドルモータ
１１０  ベース部材
１２０  下部スラスト部材
１３０  シャフト
１４０  スリーブ
１５０  ローターハブ
１６０  上部スラスト部材
【図１】
2014060909.tif 000003
【図２】
2014060909.tif 000004
【図３】
2014060909.tif 000005
【図４】
2014060909.tif 000006
【図５】
2014060909.tif 000007
【図６】
2014060909.tif 000008
【図７】
2014060909.tif 000009